(57)【要約】      （修正有）【課題】道路、鉄道などの騒音対策に用いる遮音壁において、優れた耐久性の良い吸音板を提供する。【解決手段】前面の吸音板１Ａと後面のコの字状の遮音板２Ａからなる遮音壁であって、前面の吸音板１Ａの下部を直角に、かつ水平に折り曲げ加工をすることで吸音板１Ａの強度を増加させ、前面の吸音板１Ａの垂直部の下部と、後面の遮音板２Ａのコの字状の下辺を前面に垂直に折り曲げた垂直部とをリベット５で固定することにより、遮音板下部の水掃けを良くし、錆などの誘発、腐食、劣化などを極力抑えるようにして遮音壁の吸音板を構成する。【選択図】図１
0003167392.tif 000002
【実用新案登録請求の範囲】
【請求項１】
前面の吸音板１Ａと後面のコノ字状の遮音板２Ａからなる遮音壁であって、前面の吸音板１Ａの下部を直角に、かつ水平に折り曲げ加工をすることで吸音板１Ａの強度を増加させ、前面の吸音板１Ａの垂直部の下部と、後面の遮音板２Ａのコノ字状の下辺を前面に垂直に折り曲げた垂直部とをリベット５で固定することにより、遮音板下部の水掃けを良くし、錆などの誘発、腐食、劣化などを極力抑えるようにしたことを特徴とする遮音壁の吸音板。
【請求項２】
前面の吸音板１Ｂと後面のコノ字状の遮音板２Ｂからなる遮音壁であって、前面の吸音板１Ｂの下部を鈍角に折り曲げ加工をすることで、吸音板１Ｂの強度を増加させ、前面の吸音板１Ｂの垂直部の下部と、後面の遮音板２Ｂのコノ字状の下辺を前面に垂直に折り曲げた垂直部とをリベット５で固定することにより、遮音板下部の水掃けを良くし、錆などの誘発、腐食、劣化などを極力抑えるようにしたことを特徴とする遮音壁の吸音板。
【請求項３】
前面の吸音板１Ｃと後面のコノ字状の遮音板２Ｃからなる遮音壁であって、前面の吸音板１Ｃ垂直部の下部を、後面の遮音板２Ｃコノ字状の下辺を前面に垂直に折り曲げた垂直部の下部より長くし、前面の吸音板１Ｃの垂直部の下部と遮音板２Ｃのコノ字状の下辺を前面に垂直に折り曲げた垂直部をリベット５で固定することにより、遮音板下部の水掃けを良くし、錆などの誘発、腐食、劣化などを極力抑えるようにしたことを特徴とする遮音壁の吸音板。
【考案の詳細な説明】
【技術分野】
【０００１】  道路、鉄道などの騒音対策に用いる遮音壁の吸音板の構造を改良した、優れた耐久性の良い遮音壁の吸音板に関する。
【背景技術】
【０００２】  道路、鉄道などの遮音壁が設置されてから約３５年経過し、風雨及び構造の問題による影響で、腐蝕、劣化が進行し、取換、交換の時期が到来している。現行の遮音壁の問題点、欠点を明らかにして、改善及び改良した遮音壁の吸音板の構造が求められている。
【先行技術文献】
【特許文献】
【０００３】
【特許文献１】  特開２００４−２９３２２０公報
【考案の概要】
【考案が解決しようとする課題】
【０００４】  現行の遮音壁の吸音板は、構造の問題により、雨水などが溜まり、金属の腐蝕、電蝕、劣化などを誘発しない、水掃けの良い遮音壁の吸音板の構造にする。【０００５】  遮音壁の吸音板の補修、取換、交換、保守保全の費用を節減する。
【課題を解決するための手段】
【０００６】  前面の吸音板１Ａと後面のコノ字状の遮音板２Ａからなる遮音壁であって、前面の吸音板１Ａの下部を直角に、かつ水平に折り曲げ加工をすることで吸音板１Ａの強度を増加させ、前面の吸音板１Ａの垂直部の下部と、後面の遮音板２Ａのコノ字状の下辺を前面に垂直に折り曲げた垂直部とをリベット５で固定することにより、遮音板下部の水掃けを良くし、錆などの誘発、腐食、劣化などを極力抑えるようにしたことを特徴とする遮音壁の吸音板。【０００７】  前面の吸音板１Ｂと後面のコノ字状の遮音板２Ｂからなる遮音壁であって、前面の吸音板１Ｂの下部を鈍角に折り曲げ加工をすることで、吸音板１Ｂの強度を増加させ、前面の吸音板１Ｂの垂直部の下部と、後面の遮音板２Ｂのコノ字状の下辺を前面に垂直に折り曲げた垂直部とをリベット５で固定することにより、遮音板下部の水掃けを良くし、錆などの誘発、腐食、劣化などを極力抑えるようにしたことを特徴とする遮音壁の吸音板。【０００８】  前面の吸音板１Ｃと後面のコノ字状の遮音板２Ｃからなる遮音壁であって、前面の吸音板１Ｃ垂直部の下部を、後面の遮音板２Ｃコノ字状の下辺を前面に垂直に折り曲げた垂直部の下部より長くし、前面の吸音板１Ｃの垂直部の下部と遮音板２Ｃのコノ字状の下辺を前面に垂直に折り曲げた垂直部をリベット５で固定することにより、遮音板下部の水掃けを良くし、錆などの誘発、腐食、劣化などを極力抑えるようにしたことを特徴とする遮音壁の吸音板。
【考案の効果】
【０００９】    水掃けを良くする構造にすることで、遮音壁の吸音板の錆の誘発、腐蝕、電蝕などを軽減し、遮音壁の吸音板の耐久性が向上する。【００１０】  耐久性が向上することにより、遮音壁の吸音板の補修、取換、交換の施工サイクルを延長出来ることから、膨大な保守保全に掛かっていた費用が節減出来る。
【図面の簡単な説明】
【００１１】
【図１】本考案の前面の吸音板の下部を水平に折り曲げた吸音板の構成  （ａ）全体構成（断面図）  （ｂ）前面の吸音パネルの下部の拡大断面図
【図２】本考案の前面の吸音板の下部を鈍角に折り曲げた吸音板の構成  （ａ）全体構成（断面図）  （ｂ）前面の吸音パネルの下部の拡大断面図
【図３】本考案の前面の吸音板の下部を遮音板の前面を折り曲げた垂直部の下部より長くした吸音板の構成  （ａ）全体構成（断面図）  （ｂ）前面の吸音パネルの下部の拡大断面図
【図４】従来型の遮音壁のはぜ折りにした吸音板の構成  （ａ）全体構成（断面図）  （ｂ）前面の吸音パネルの下部の拡大断面図
【考案を実施するための形態】
【００１２】  図１は本考案の前面側の吸音板１Ａの下部を直角に、また水平に折り曲げた遮音壁の吸音板の構成を示す。
（ａ）は全体構成（断面図）で、（ｂ）は前面の吸音パネルの下部（図１（ａ）の丸枠部）の拡大断面図である。前面の吸音板１Ａはアルミ板、亜鉛鋼板などをガラリ及び多孔に加工し、下部を図１（ｂ）のように内側に直角に、かつ水平に折り曲げる。これにより、吸音板１Ａのたわみ、そり、歪みを防止できる。遮音板２Ａはコノ字状に折り曲げた亜鉛鋼板で構成し、前面下部を垂直に折り曲げている。吸音板１Ａと遮音板２Ａの間に、ポリエステルウールなどによる吸音材３を詰め、吸音板１Ａの垂直部の下部と遮音板２Ａのコノ字状の下辺を前面に折り曲げた垂直部をリベット５で止め固定することにより、遮音板下部の水掃けを良くし、錆などの誘発、腐食、劣化などを極力抑えるようにした。
【００１３】  図２は本考案の前面の吸音板１Ｂの下部を鈍角に折り曲げた遮音壁の吸音板の構成を示す。
（ａ）は全体構成（断面図）で、（ｂ）は前面の吸音パネルの下部（図２（ａ）の丸枠部）の拡大断面図である。前面の吸音板１Ｂはアルミ板、亜鉛鋼板などをガラリ及び多孔に加工し、図２（ｂ）に示すように、吸音パネルの垂直部の下部を鈍角に折り曲げている。鈍角に折り曲げることで、吸音板１Ｂのたわみ、そり、歪みを防止できる。また、鈍角に折り曲げることで、吸音板を多段にするときの下段の吸音パネルに当たらないように接続できる。遮音板２Ｂはコノ字状に折り曲げた亜鉛鋼板で構成し、前面下部を垂直に折り曲げている。吸音板１Ｂと遮音板２Ｂの間に、ポリエステルウールなどによる吸音材３を詰め、吸音板１Ｂのコノ字状の下辺を前面に折り曲げた垂直部と遮音板２Ｂの前面を折り曲げた垂直部をリベット５で止め固定することにより、遮音板下部の水掃けを良くし、錆などの誘発、腐食、劣化などを極力抑えるようにした。
【００１４】  図３は本考案の前面の吸音板１Ｃの垂直部の下部を遮音板２Ｃのコノ字状の下辺を前面に折り曲げた垂直部より長くした遮音壁の吸音板の構成を示す。
（ａ）は全体構成（断面図）で、（ｂ）は前面の吸音パネルの下部（図３（ａ）の丸枠部）の拡大断面図である。前面の吸音板１Ｃは、アルミ板、亜鉛鋼板などをガラリ及び多孔などに加工する。遮音板２Ｃはコノ字状に折り曲げた亜鉛鋼板で構成し、前面下部を垂直に折り曲げている。吸音板１Ｃと遮音板２Ｃの間に、ポリエステルウールなどによる吸音材３を詰め、吸音板１Ｃの垂直部の下部と遮音板２Ｃのコノ字状の下辺を前面に折り曲げた垂直部をリベット５で止め固定することにより、遮音板下部の水掃けを良くし、錆などの誘発、腐食、劣化などを極力抑えるようにした。
【００１５】  図４は従来型の遮音壁の、はぜ折りにした吸音板の構成を示す。
（ａ）は全体構成（断面図）で、（ｂ）は前面の吸音パネルの下部（図４（ａ）の丸枠部）の拡大断面図である。図４の（ｂ）に示すように、従来は前面の吸音板１Ｄの下部を、はぜ折りにして、遮音板２Ｃのコノ字状の下辺を前面に垂直に折り曲げた箇所を、はぜ折の中にいれた構成にしている。
その為に、はぜ折りになった部分に水４が溜まることが原因で、錆などの誘発、腐蝕及び劣化が激しく、亀裂や穴が開き、部分的には落下している箇所も存在する。
【００１６】  本考案では、図１（ｂ）、図２（ｂ）、図３（ｂ）に示すように、前面の吸音板１Ａ、１Ｂ、１Ｃの下部をはぜ折りではなく、吸音板１Ａは直角に、かつ水平に折り曲げ、吸音板１Ｂは鈍角の折り曲げにし、吸音板１Ｃは前面の垂直部を、遮音板２Ｃのコノ字状の下辺を前面に垂直に折り曲げた下部より長くして、前面の吸音板の１Ａ、１Ｂ、１Ｃの垂直部と、夫々、遮音板２Ａ、２Ｂ、２Ｃの折り曲げた垂直部をリベット５で固定している。これにより吸音板１Ａ、１Ｂ、１Ｃの下部では水４が外部に流れ、内部に水４が溜まらなく、水掃けが良くなり、錆などの誘発、腐食、劣化などを極力抑えられる。
【産業上の利用可能性】
【００１７】  道路、鉄道の社会的インフラは此処３５年高速道路、新幹線は全国的に整備されたものの、構造物に付帯設置された遮音壁の吸音板は腐蝕、劣化が進行し、補修、取換、交換を余儀なくされ、今後十数年間に渡って膨大な保守保全費用が想定される。これら多額の維持、補修費用を極力節減する為に、新しく構造を改善及び改良した遮音壁の吸音板を用いることにより、施工サイクルを延長出来ることから、膨大な保守保全に掛かっていた費用の節減を考慮した遮音壁の吸音板が実現できる。
【符号の説明】
【００１８】  １Ａ、１Ｂ、１Ｃ、１Ｄ  吸音板
２Ａ、２Ｂ、２Ｃ、２Ｄ  遮音板
３                      吸音材
４                      水
５                      リベット
【図１】
0003167392.tif 000003
【図２】
0003167392.tif 000004
【図３】
0003167392.tif 000005
【図４】
0003167392.tif 000006